(57)【特許請求の範囲】
【請求項１】
引き出し類の平行一対状の支持部に引っ掛けられて支持部に横架状に設置される横架型トレイであって、上記の支持部に引っ掛けるための引っ掛け箇所を有する取り付け具が、平行一対状の支持部の間に引き出し類の横幅方向に沿って配置される前後一対の対向板に挿し込まれ、高さを違えて着脱自在に設けられていることを特徴とする横架型トレイ。
【請求項２】
請求項１記載の横架型トレイであって、取り付け具が、対向板の両端側の側板を介して対向板に挿し込まれることを特徴とする横架型トレイ。
【請求項３】
請求項１又は２記載の横架型トレイであって、取り付け具の挿し込まれる雌状部が、対向板に横方向に延ばされてパイプ状に、且つ多段状に形成されていることを特徴とする横架型トレイ。
【請求項４】
請求項１記載の横架型トレイであって、取り付け具が、前後一対の対向板に挿し込まれるのに代え、取り付け具が、対向板の両端側の側板に、この側板の表側から裏側に向かって挿し込まれて高さを違えて着脱自在に設けられていることを特徴とする横架型トレイ。
【請求項５】
請求項１乃至４の何れかに記載の横架型トレイであって、前後一対の対向板と、この対向板の間の底板とでなるトレイ本体が、押し出し成形で形成されていることを特徴とする横架型トレイ。
【請求項６】
請求項１乃至５の何れかに記載の横架型トレイであって、取り付け具が金属線材を折り曲げ加工することにより形成され、この取り付け具の両端が挿し込み用の軸部に形成されていると共に、引っ掛け箇所が縦断面逆Ｕ字形に曲げ加工されて左右側に形成されていることを特徴とする横架型トレイ。
【請求項７】
請求項１乃至６の何れかに記載の横架型トレイであって、引っ掛け箇所が取り付け具に多段状に複数形成されていることを特徴とする横架型トレイ。
【発明の詳細な説明】
【技術分野】
【０００１】
本発明は、横架型トレイに関し、更に詳しくは、例えば引き出しの前板と後板の両側にバーを左右一対状に架設し、このバーに架け渡して使用する横架型トレイに関するものである。
【背景技術】
【０００２】
従来、この種のトレイとしては、例えば特許文献１に記載されているものがある。
この従来品は、トレイ本体の両側板に、引き出しの平行一対の棒材（バー）に引っ掛けるための引っ掛け部が形成されている。
【０００３】
ところで、引き出し等の収納箇所は、内部の高さが決められている反面、収納する品物の高さは、例えば醤油や酒等の背の高い容器から、皿や茶托等の背の低い品物まで、多種多様である。
従って、引き出し等の中に設置して使用するこの種のトレイは、引き出し等の内部にデッドスペースが生じないよう、収納物の高さに合わせてバーに柔軟に設置できるよう形成されているのが望ましい。
【０００４】
しかるに、従来品は、バーに設置する高さを自由に変更することができなかったから、従来品によると、引き出し内にデッドスペースを生じ易く、効率良く品物を収納することができなかった。
また従来品を使用すると、背の高い品物はトレイの下側を避け、トレイの前後の位置に収納する必要があり、通常、トレイの下側を含めた引き出しの底の全面に、背の高い品物を収納することができなかった。
【先行技術文献】
【特許文献】
【０００５】
【特許文献１】実公平７−１６３４３号公報
【発明の概要】
【発明が解決しようとする課題】
【０００６】
本発明は、このような従来品の問題点に鑑み、提案されたものである。
従って本発明の解決しようとする技術的課題は、収納する品物の高さに合わせて設置高さを変更できるようにし、引き出し内にデッドスペースを生じさせることなく、効率良く柔軟に収納でき、またトレイの下側を含めて、引き出し等の底の全面に背の高い品物を収納でき、品物の高さの違いで収納を不便にしたり、収納作業に支障を来たすことがないよう形成した横架型トレイを提供することにある。
【課題を解決するための手段】
【０００７】
本発明は、上記の課題を解決するため、次のような技術的手段を採る。
即ち本発明は、図１等に示されるように、引き出し類１の平行一対状の支持部２に引っ掛けられて支持部２に横架状に設置される横架型トレイであって、上記の支持部２に引っ掛けるための引っ掛け箇所４を有する取り付け具３が、平行一対状の支持部２の間に引き出し類１の横幅方向に沿って配置される前後一対の対向板５に挿し込まれ、高さを違えて着脱自在に設けられていることを特徴とする（請求項１）。
【０００８】
ここで、引き出し類１とは、流し台や洗面化粧台等の引き出しのほか、床下収納庫のように、上面から品物１０を出し入れする型式の収納庫など、トレイを横架状に設置できる箇所のことを意味する。またここで、支持部２としては、引き出しの前板１ａと後板１ｂの両側に平行一対状に架設されるバーや、引き出しの平行一対状の側板の上端がある。また本発明の場合、取り付け具３は、通常、対向板５の横方向（本発明品の横架方向）に沿って挿し込まれるが、対向板５の厚み方向に挿し込まれるのでも良い。
【０００９】
而して、本発明は、図１、図２等に示されるように、取り付け具３が、対向板５の両端側の側板８を介して対向板５に挿し込まれるのが好ましい（請求項２）。
なぜならこれによると、取り付け具３によって側板８が対向板５に止め付けられ、側板８の取り付け状態が堅固になるからである。
【００１０】
また本発明は、図１、図２等に示されるように、取り付け具３の挿し込まれる雌状部５ｂが、対向板５に横方向に延ばされてパイプ状に、且つ多段状に形成されているのが好ましい（請求項３）。
なぜならこれによると、雌状部５ｂが取り付け具３の挿し込み孔として機能するだけではなく、対向板５の強度を高めることに役立つからである。
【００１１】
また本発明は、取り付け具３が、前後一対の対向板５に挿し込まれるのに代え、図８、図９に示されるように、取り付け具３が、対向板５の両端側の側板８に、この側板８の表側から裏側に向かって挿し込まれて高さを違えて着脱自在に設けられているのでも良い（請求項４）。
この場合、取り付け具３の挿し込まれる箇所は、側板８の厚み内に納められるのでも、側板８の厚みを越えて側板８の裏側に突き出されて形成されているのでも良い。
【００１２】
また本発明は、前後一対の対向板５と、この対向板５の間の底板６とでなるトレイ本体７が、押し出し成形で形成されているのが好ましい（請求項５）。
なぜならこれによると、本発明品の組立てを簡単、迅速にでき、またトレイ本体７の長さを適宜変更でき、引き出し類１の幅違いに対応し易いからである。
【００１３】
また本発明は、図１等に示されるように、取り付け具３が金属線材を折り曲げ加工することにより形成され、この取り付け具３の両端が挿し込み用の軸部３ａに形成されていると共に、引っ掛け箇所４が縦断面逆Ｕ字形に曲げ加工されて左右側に形成されているのが好ましい（請求項６）。
なぜならこれによると、取り付け具３の製造、加工が簡単になり、引っ掛け箇所４と支持部２との接触面が小さくなるため、摩擦抵抗を抑えることができ、通常、丸棒状に形成される支持部２との係合を円滑化できるからである。金属線材としては、スチールやステンレスのワイヤーがある。
【００１４】
また本発明は、図１０に示されるように、引っ掛け箇所４が取り付け具３に多段状に複数形成されているのでも良い（請求項７）。
なぜならこれによると、高さの異なる引っ掛け箇所４を利用して本発明品を支持部２に設置でき、品物１０の高さの違いに対してより柔軟に対応できるからである。
【発明の効果】
【００１５】
本発明は、このように引き出し類の平行一対状の支持部に引っ掛けるための引っ掛け箇所を有する取り付け具が、平行一対状の支持部の間に引き出し類の横幅方向に沿って配置される前後一対の対向板に挿し込まれ、高さを違えて着脱自在に設けられている。
従って本発明品は、取り付け具の挿し込み箇所を変更することにより、収納する品物の高さに応じて設置位置を変更でき、引き出し等の内部にデッドスベースが生じることを防止でき、効率良く収納できる。
【００１６】
また本発明品は、取り付け具を、両側板の例えば最下段に取り付けると、引き出しの底の上面から本発明品の底の下面までの高さを高くできる。
従って、本発明品は、トレイの下側を含めて引き出し等の底の全面に背の高い品物を収納することができるから、これによれば、品物の高さの違いで収納が不便になったり、収納作業に支障を来たすことがない。
【００１７】
また本発明は、取り付け具が、上記の通り、前後一対の対向板に挿し込まれ、高さを違えて着脱自在に設けられている。
従って、本発明の場合は、取り付け具の挿し込み箇所が荷重のかかる方向に対して直交する向きになる。それ故、本発明によれば、取り付け具の抜け外れを防止でき、また取り付け具の挿し込みの深さを調節することで、引き出し類の幅（支持部の間隔）に多少の狂いがあっても、柔軟に対応できる。
【図面の簡単な説明】
【００１８】
【図１】本発明のトレイの好適な一実施形態を示す使用状態時の斜視図である。
【図２】同上トレイの分解斜視図である。
【図３】同上トレイの使用状態時の側面図である。
【図４】同上トレイの平面図である。
【図５】同上トレイの正面図である。
【図６】同上トレイの側面図である。
【図７】同上トレイの使用状態時の側面図である。
【図８】同上トレイの他の実施形態を示す側面図である。
【図９】図８のIX−IX線における断面図である。
【図１０】本発明トレイの更に他の実施形態を示し、Ａはトレイ本体の要部側面図、Ｂは取り付け具の側面図である。
【図１１】図１０の本発明トレイの使用状態を示し、Ａ、Ｂ、Ｃとも要部側面図である。
【発明を実施するための形態】
【００１９】
以下、本発明を実施するための好適な一実施形態を、添付図面に従って説明する。
本発明は、図１等に示されるように、引き出し類１の平行一対状の支持部２に引っ掛けられて支持部２に横架状に設置される横架型トレイである。支持部２は、この実施形態では丸棒（バー）で形成され、引き出し類１としての引き出しの前板１ａと後板１ｂ（図３参照）の両側に、平行一対状に架設されている。
【００２０】
３は、上記の支持部２に引っ掛けるための引っ掛け箇所４を有する取り付け具である。この取り付け具３は、スチールワイヤーが折り曲げられ、左右一対の引っ掛け箇所４が支持部２とフィットするよう縦断面逆Ｕ字形に曲げ加工されると共に、両端が挿し込み用の軸部３ａに形成されている。
なお、この実施形態の場合、引っ掛け箇所４は、合成樹脂製のカバーで覆われている。
【００２１】
而して、この実施形態の本発明品は、前後一対の対向板５と、この対向板５の間の底板６とでなるトレイ本体７が、押し出し成形で形成されている。８は、対向板５の両端側の側板である。この側板８は、合成樹脂をインジェクション成形した板材で形成され、上部８ａが外側に屈曲されて取っ手として利用できるよう形成されている。
【００２２】
また側板８は、図２等に示されるように、対向板５にネジ９で固定されている。このネジ９は、側板８に形成されている孔８ｂを介して対向板５の外面の上下位置のパイプ状のネジ孔５ａに螺合される。
【００２３】
また上記の取り付け具３は、平行一対状の支持部２の間に引き出し類１の横幅方向に沿って配置される前後一対の対向板５に挿し込まれ、高さを違えて着脱自在に設けられている。この実施形態では、取り付け具３が、対向板５の両端側の側板８を介して対向板５に挿し込まれている。
【００２４】
具体的には、側板８の両側に、取り付け具３の挿し込み用の軸部３ａを通す貫通孔８ｃが上下方向に等間隔をあけて３個形成されている。そして、この貫通孔８ｃに対応するよう、この実施形態では対向板５の外面に軸部３ａが挿し込まれる雌状部５ｂが孔状に形成されている。
【００２５】
雌状部５ｂは、この実施形態では取り付け具３の軸部３ａより、径が僅かに太く形成され、対向板５の外面に横方向に延ばされてパイプ状に、且つ３段状に形成されている。従って、取り付け具３は、軸部３ａが側板８の貫通孔８ｃを介して対向板５の雌状部５ｂに挿し込まれるものである。
【００２６】
次に本発明品の使用例を説明する。
本発明品は、図１等に示されるように、取り付け具３の引っ掛け箇所４を支持部２に引っ掛け、支持部２に横架して引き出し類１の中に設置して使用する。
【００２７】
この場合、使用者は、収納する品物１０（図１等参照）の高さを考慮して、取り付け具３を側板８を介して対向板５の雌状部５ｂに挿し込んで取り付ける。具体的には、使用者は、取り付け具３の両端の軸部３ａを、側板８の貫通孔８ｃを介して側板８の前側から裏側に向かって一対の対向板５の対応する位置の雌状部５ｂに挿し込んで取り付ける。
【００２８】
この場合、本発明は、軸部３ａが雌状部５ｂに荷重のかかる方向に対して直交する向きに挿し込まれるものであるから、取り付け具３が抜け外れることはない。また軸部３ａの挿し込み深さを調節することで、引っ掛け箇所４を側板８から離したり、側板８に近づけたりできる。従って、本発明によると、引き出し類１の横幅（支持部２の間隔）に寸法のバラツキがあっても、柔軟に対応できる。
【００２９】
而して、本発明品の設置高さを変えるときは、先ず、取り付け具３を側板８及び対向板５から抜き取る。次に使用者は、取り付け具３を、側板８の所望の貫通孔８ｃを介して対向板５の雌状部５ｂに挿し込み直す。
【００３０】
また本発明品を引き出し類１の中から取り出すときは、例えば取り付け具３に手指を掛けたり、側板８の取っ手状の上部８ａに手を掛けて持ち上げ、支持部２から取り外す。また本発明品の下側の品物１０を取り出すときは、支持部２に沿って本発明品を前後方向にスライドさせて行なう。
【００３１】
而して、図３に示されるように、取り付け具３が対向板５の最下部の雌状部５ｂに挿し込まれて取り付けられると、本発明品が支持部２に高く設置され、引き出し類１の底からトレイ本体７の底板６の下面までの高さが高くなる。従って、本発明品の下側を含めて引き出し類１の底の全面に背の高い品物１０を収納することができる。
【００３２】
また使用者は、品物１０の高さに応じて取り付け具３を、対向板５の２段目の雌状部５ｂに挿し込んだり（図５〜図７の状態参照）、最上段の雌状部５ｂに挿し込んで取り付ける。取り付け具３を対向板５の最上段の雌状部５ｂに挿し込んで、本発明品を支持部２に低く設置すると、本発明品の底板６からキャビネットの天井までの高さが高くなり、背の高い品物１０を本発明品に収納することができる。
【００３３】
なお、本発明品は、取り付け具３を、側板８の何れの高さに取り付けても、トレイ本体７の深さに変更を来たすものではない。従って、本発明品は、収納する品物１０の高さに応じて設置高さを変えても、本発明のトレイに収納した品物１０の収納姿勢を不安定にすることがない。
【００３４】
以上の処において、本発明は、取り付け具３が、前後一対の対向板５に挿し込まれるのに代え、図８、図９に示されるように、取り付け具３が、対向板５の両端側の側板８に、この側板８の前側から裏側に向かって挿し込まれ、高さを違えて着脱自在に設けられているのでも良い。この実施形態では、取り付け具３の挿し込まれる孔状の箇所１１が、側板８の背側に、側板８と一体化されてパイプ状に後方に延ばされ、且つ３段状に形成されている。
【００３５】
また本発明は、図１０に示されるように、引っ掛け箇所４が取り付け具３に多段状に複数形成されているのでも良い。この実施形態では、引っ掛け箇所４が、高さを違えて３個（３段状）に形成されている。また取り付け具３の挿し込み用の軸部３ａは、中段の引っ掛け箇所４に対応して、取り付け具３の両側から後方に突き出されて設けられている。
【００３６】
而して、この本発明の場合は、図１１Ａ〜Ｃに示されるように、取り付け具３を、例えば両側板８を介して対向板５の雌状部５ｂに挿し込んで取り付けると、引っ掛け箇所４の高さを様々に違えることができる。特に、取り付け具３を、同図Ｂ、Ｃに示されるように取り付けると、トレイ本体７の対向板５や側板８の高さを越えて本発明品を支持部２に高く（同図Ｂ参照）、又は低く（同図Ｃ参照）設置できる。
従って、これによれば、品物１０の高さの違いに対してより柔軟に本発明品を支持部２に設置でき、使い勝手が一層良くなるものである。
【符号の説明】
【００３７】
１      引き出し類
２      支持部
３      取り付け具
４      引っ掛け箇所
５      前後一対の対向板
【図１】
0005701169.tif 000002
【図２】
0005701169.tif 000003
【図３】
0005701169.tif 000004
【図４】
0005701169.tif 000005
【図５】
0005701169.tif 000006
【図６】
0005701169.tif 000007
【図７】
0005701169.tif 000008
【図８】
0005701169.tif 000009
【図９】
0005701169.tif 000010
【図１０】
0005701169.tif 000011
【図１１】
0005701169.tif 000012